(57)【特許請求の範囲】
【請求項１】
免震建物とその周囲の地盤との間の溝の上部開口を閉塞する免震ジョイントカバー装置であって、
カバー本体と、このカバー本体にスライド可能に重ね合わされ、そのスライド動作でカバー本体に対して伸長することが可能なスライドカバーとを有し、
前記カバー本体の一端側端部は、前記免震建物に対して結合支持され、前記スライドカバーの他端側端部は、前記カバー本体と重なる状態で前記地盤に対して支持され、
地震の発生に伴い前記溝の幅が広がる方向に、前記地盤が相対的に前記免震建物に対して動くときに、その動きに応じて前記スライドカバーが前記カバー本体に対してスライドして伸長することで、前記溝の上部開口の閉塞が維持され、
前記カバー本体の一端側端部は、前記免震建物の壁面に設けられたベースを介して前記免震建物に結合支持され、前記スライドカバーの他端側端部は、前記地盤に設けられた受枠の上に支持され、
前記スライドカバーの他端側端部には突部が設けられ、前記受枠には前記突部が嵌合する凹部が設けられ、
地震の発生に伴い前記溝の幅が広がる方向に、前記地盤が相対的に前記免震建物に対して動くときに、前記凹部と前記突部との係合で前記スライドカバーが前記カバー本体に対してスライドして伸長することを特徴とするスライド式免震ジョイントカバー装置。
【請求項２】
前記受枠には、傾斜部が設けられ、地震の発生に伴い前記溝の幅が狭まる方向に、前記地盤が相対的に前記免震建物に対して動くときに、その動きに応じて前記スライドカバーが前記カバー本体と一体的に前記傾斜部に沿ってせり上がって傾斜することで、前記溝の幅の狭まりに対応することが可能なことを特徴とする請求項１に記載のスライド式免震ジョイントカバー装置。
【請求項３】
前記カバー本体は、平常時において、前記スライドカバーと重なる状態で前記地盤の表面とほぼ面一の状態で前記地盤と前記免震建物との間に水平に配置されることを特徴とする請求項１又は請求項２に記載のスライド式免震ジョイントカバー装置。
【発明の詳細な説明】
【技術分野】
【０００１】
この発明は、免震建物と周囲地盤との間に設けられる溝の上部開口を塞ぐスライド式免震ジョイントカバー装置に関する。
【背景技術】
【０００２】
免震建物とその周囲の地盤との間には、地震の発生に伴い免震建物が周囲地盤に対して相対的に変位するときの動きを吸収するための溝（免震用空間）が確保されている。この溝は、免震建物の周囲に沿って設けられる。そしてその周囲の溝の上部開口が免震ジョイントカバーで覆われ、人の転落などが防止される（例えば特許文献１参照）。
【０００３】
免震ジョイントカバーは、免震建物とその周囲の地盤との間に跨るように配置され、一端側が免震建物に接続され、他端側の所定の区間が地盤の上に重ね合わされている。そして、地震が発生し、免震建物が周囲地盤に対して相対的に水平方向に動いたときに、免震ジョイントカバーが免震建物と一体的に移動する。この際、免震ジョイントカバーの他端側の所定区間が地盤の上に重なっているため、その重なり部分が地盤の上を移動し、カバーが地盤から脱落せず、溝の上部開口の開放が防止される。
【先行技術文献】
【特許文献】
【０００４】
【特許文献１】特開２０００−１２０１８７号公報
【発明の概要】
【発明が解決しようとする課題】
【０００５】
このように従来においては、免震ジョイントカバーの端部の所定区間を地盤の上に重ね合わせることで、地震発生時の動きに対応してカバーの地盤に対する脱落を防止している。したがって、地盤に対するカバーの重ね代の寸法は大地震の場合を想定して相当大きな幅に設定する必要がある。例えば地盤に対する免震建物の水平方向の動きの大きさを±６００ｍｍと想定したときには、カバーの重ね代として６００ｍｍ以上の幅を確保しなければならない。
【０００６】
しかしながら、重ね代の幅を大きくすると、免震ジョイントカバーの全体の形状が相当大型となる。免震建物の周囲に設置される免震ジョイントカバーは、その免震建物の周囲の歩道の一部や敷地の一部として活用されるが、幅の大きい大型の形状になると、外観が悪く、免震建物の周囲の景観を低下させ、また大きな幅の重ね代により地盤上の土地活用が制約され、さらに免震ジョイントカバーの全体の形状が大型であると、その施工時における輸送や組み付けなどの作業上の取扱いが面倒となり、作業能率が低下するという問題がある。
【０００７】
この発明は、このような点に着目してなされたもので、幅の大きな重ね代を必要とせず、免震用の溝の開口幅とほぼ同等の幅の小型な構造で、大きな地震の揺れに対応することができるスライド式免震ジョイントカバー装置を提供することを目的とする。
【課題を解決するための手段】
【０００８】
前記課題を解決するために、請求項１の発明は、免震建物とその周囲の地盤との間の溝の上部開口を閉塞する免震ジョイントカバー装置であって、カバー本体と、このカバー本体にスライド可能に重ね合わされ、そのスライド動作でカバー本体に対して伸長することが可能なスライドカバーとを有し、前記カバー本体の一端側端部は、前記免震建物に対して結合支持され、前記スライドカバーの他端側端部は、前記カバー本体と重なる状態で前記地盤に対して支持され、地震の発生に伴い前記溝の幅が広がる方向に、前記地盤が相対的に前記免震建物に対して動くときに、その動きに応じて前記スライドカバーが前記カバー本体に対してスライドして伸長することで、前記溝の上部開口の閉塞が維持され、前記カバー本体の一端側端部は、前記免震建物の壁面に設けられたベースを介して前記免震建物に結合支持され、前記スライドカバーの他端側端部は、前記地盤に設けられた受枠の上に支持され、前記スライドカバーの他端側端部には突部が設けられ、前記受枠には前記突部が嵌合する凹部が設けられ、地震の発生に伴い前記溝の幅が広がる方向に、前記地盤が相対的に前記免震建物に対して動くときに、前記凹部と前記突部との係合で前記スライドカバーが前記カバー本体に対してスライドして伸長することを特徴としている。
【００１０】
請求項２の発明においては、前記受枠には、傾斜部が設けられ、地震の発生に伴い前記溝の幅が狭まる方向に、前記地盤が相対的に前記免震建物に対して動くときに、その動きに応じて前記スライドカバーが前記カバー本体と一体的に前記傾斜部に沿ってせり上がって傾斜することで、前記溝の幅の狭まりに対応することが可能なことを特徴としている。
【００１１】
請求項３の発明においては、前記カバー本体は、平常時において、前記スライドカバーと重なる状態で前記地盤の表面とほぼ面一の状態で前記地盤と前記免震建物との間に水平に配置されることを特徴としている。
【発明の効果】
【００１２】
この発明の免震ジョイントカバー装置によれば、地震の発生で免震建物が動いたときには、スライドカバーが伸長し、あるいは免震ジョイントカバー装置の一部が受枠の上にせり上がることでその動きに対応して溝の上部開口が閉塞状態に維持され、溝内への人の転落などが防止される。
【００１３】
そして、この免震ジョイントカバー装置は、一端側端部が免震建物の壁面に設けられたベースの上に支持され、他端側端部が地盤に設けられた受枠の上に支持されて地盤との重ね代をほとんど必要とすることなく大きな地震の揺れに対応することができ、したがってこの免震ジョイントカバー装置は、その長さを溝の幅とほぼ同等の小さな寸法の小型の形状とすることができる。そして、小型でかつ地盤との重なり代をほとんど必要としないから、外観を良好に保て、免震建物の周囲の景観を低下させたり、地盤の上の土地活用を制限したりすることがほとんどなく、さらに小型であるから、免震ジョイントカバー装置の施工時における輸送や組み付けなどの作業上の取扱いが容易となり、作業能率の向上を図ることができる。
【図面の簡単な説明】
【００１４】
【図１】この発明の一実施形態に係るスライド式免震ジョイントカバー装置の断面図。
【図２】スライド式免震ジョイントカバー装置の平面図。
【図３】図２中のＡ−Ａ線に沿う断面図。
【図４】図３中のＢ部を拡大して示す断面図。
【図５】地震の発生で地盤が＋方向に移動したときのジョイントカバー装置の状態を示す断面図。
【図６】地震の発生で地盤が−方向に移動したときのジョイントカバー装置の状態を示す断面図。
【発明を実施するための形態】
【００１５】
以下、この発明の実施の形態について図面を参照して説明する。
【００１６】
図１に示すように、免震建物１とその周囲の地盤２との間には、免震建物１の相対的な揺れの動きを吸収するための溝３が確保されている。地盤２は、溝３との対向側に防護用の擁壁４を有し、この擁壁４の外側の地盤２の表面が例えば化粧ブロック５ａなどを敷き詰めた舗装面５となっている。
【００１７】
溝３と対向する免震建物１の壁面には、ブラケット８がアンカーボルト９を介して取り付けられ、このブラケット８の上に断面Ｌ形のベース１０が取り付けられている。また、地盤２における擁壁４の上面部には受枠１２が取り付けられている。この受枠１２は、水平部１３と、この水平部１３の一端側に連なる傾斜部１４と、水平部１３の他端側に連なる凹部１５とを有し、傾斜部１４は免震建物１側に、凹部１５は溝３側に配置されている。傾斜部１４は、溝３側から舗装面５側に向って斜め上方に傾斜し、凹部１５は断面ほぼＶ形状をなし、垂直に起立する起立部１５ａと、この起立部１５ａの下端に連なり、溝３側から舗装面５側に向って斜め上方に傾斜する傾斜部１５ｂとを有し、傾斜部１５ｂの上端部が水平部１３に連なっている。
【００１８】
免震建物１に設けられたベース１０と、地盤２の擁壁４に設けられた受枠１２はほぼ同一の高さレベルに配置され、これらベース１０と受枠１２との間に免震ジョイントカバー装置２０が掛け渡され、この免震ジョイントカバー装置２０で溝３の上部開口が塞がれている。
【００１９】
図１には、免震ジョイントカバー装置２０の断面図を、図２には免震ジョイントカバー装置２０の平面図を、図３には、図２中のＡ−Ａ線に沿う断面図を、図４には図３中のＢ部の拡大断面図をそれぞれ示してある。
【００２０】
免震ジョイントカバー装置２０は、カバー本体２１とスライドカバー２２とを有し、カバー本体２１は、図２及び図３に示すように、底板２３の両側縁及び両端縁にそれぞれ起立壁２４，２５を一体的に有する扁平な皿形状をなし、底板２３の上面には起立壁２４と平行に並ぶように複数の補強材２６が取り付けられている。
【００２１】
スライドカバー２２は、底板２８の両側縁に起立壁２９を一体的に有する扁平な樋形状をなしている。そしてこのスライドカバー２２がカバー本体２１の外面にスライド可能に重ね合わされている。
【００２２】
カバー本体２１の両側の起立壁２４の外面には、図４に示すように、起立壁２４の長手方向に沿って支持レール３２が取り付けられ、スライドカバー２２の両側の起立壁２９の内面には、起立壁２９の長手方向に沿ってスライドレール３３が取り付けられている。そしてカバー本体２１の支持レール３２の上にスライドカバー２２のスライドレール３３が重ね合わされ、これによりカバー本体２１に対するスライドカバー２２の離脱が防止されているとともに、支持レール３２の上をスライドレール３３がスライドすることで、カバー本体２１に対してスライドカバー２２が伸縮することが可能となっている。
【００２３】
互いに重ね合わされたカバー本体２１の起立壁２４の上端部とスライドカバー２２の起立壁２９の上端部間には、その双方の上端面を覆うように目地部材３４が設けられている。この目地部材３４はカバー本体２１に固定されている。なお、目地部材３４は、図１乃至図３においては図示が省略されている。
【００２４】
図１に示すように、カバー本体２１の一端側端部はベース１０の上に配置され、支持機構３５を介して遊動可能にベース１０に結合されている。すなわち、ベース１０にはボルト３６が取り付けられ、カバー本体２１の底板２３にはそのボルト３６の外径より大きな内径の透孔３７が形成され、この透孔３７にボルト３６が遊挿されている。そしてボルト３６の上端部にナット３９が螺着され、このナット３９と底板２３との間に弾性材からなるリング４０が嵌め込まれ、カバー本体２１が水平の状態から上方に傾斜するときに、リング４０が弾性的に変形してその傾斜の動作が許容されるようになっている。なお、カバー本体２１をベース１０に遊動可能に結合する支持機構３５は、図２に示すようにカバー本体２１の一端側端部の両側のコーナー部に設けられている。そして各支持機構３５の外周はコーナーカバー４１で覆われている。
【００２５】
スライドカバー２２の他端側端部は、カバー本体２１と重なる状態で受枠１２における水平部１３の上にスライド可能に載置されている。スライドカバー２２の底板２８の下面には突起４３が取り付けられ、この突起４３が受枠１２の凹部１５内に嵌合されている。カバー本体２１の他端側端部には化粧プレート４５がヒンジ４６を介して回動自在に取り付けられ、この化粧プレート４５がカバー本体２１の端部と受枠１２の上端部との間に水平に掛け合わされ、この化粧プレート４５でカバー本体２１の他端側端部と受枠１２の上端部との間の隙間が閉じられている。
【００２６】
このように、免震ジョイントカバー装置２０は免震建物１側のベース１０と地盤２側の側の受枠１２との間に水平に配置される。そして平常時には、スライドカバー２２の全長部分がカバー本体２１と重なる状態でそのカバー本体２１の両端部がベース１０と受枠１２とで支持され、これにより溝３の上部の開口が閉塞され、溝３への人の転落などが防止される。
【００２７】
なお、皿形状をなすカバー本体２１の内部には、カバー装置２０の据え付けの施工後において、例えば地盤２上の舗装面５に使用される化粧ブロックと同じ化粧ブロックがモルタルなどを介して敷き並べられ、化粧面として仕上げられる。そしてカバー本体２１の上面の化粧面は、地盤２の表面の舗装面５とほぼ面一に整えられ、その化粧面が免震建物１の外側の敷地や歩道などの一部として活用される。なお、このような免震ジョイントカバー装置２０は、必要に応じて溝３の長手方向に沿って複数、並列して設置される。
【００２８】
このような構成において、地震が発生し、免震建物１に対し、地盤２が図５に示すように、溝３の幅が広がる水平な＋Ｘ方向に相対的に動いたときには、受枠１２における凹部１５の起立部1５ａがスライドカバー２２の突起４３に当ることで、スライドカバー２２が受枠１２と一体的に＋Ｘ方向に移動する。すなわち、スライドカバー２２がカバー本体２１に対してスライドして伸長する。したがって、溝３の幅が広がっても、それに応じて延びるカバー装置２０により溝３の上部開口の閉塞状態が維持され、溝３内への人の転落などが防止され、安全が確保される。
【００２９】
一方、図１に示す平常時の状態から、地震が発生して地盤２が図６に示すように、溝３の幅が狭まる水平な−Ｘ方向に相対的に動いたときには、スライドカバー２２の突起４３が受枠１２における凹部１５の傾斜部１５ｂからさらに水平部１３を経て傾斜部１４に沿ってせり上がるように移動し、この移動で免震ジョイントカバー装置２０の全体がカバー本体２１の一端側端部を中心に回動して斜め上方に傾斜する。カバー本体２１の一端側端部は支持機構３５を介してベース１０に遊動可能に結合されているから、免震ジョイントカバー装置２０の上方への回動は支障なく円滑に達成される。そしてこの場合においても、溝３の上部開口はカバー装置２０により閉じられているから、溝３内への人の転落などが防止され、安全が確保される。
【００３０】
このように、地震の発生で免震建物１に対して相対的に地盤２が±Ｘ方向に動いたときには、スライドカバー２２が伸長し、あるいは免震ジョイントカバー装置２０の一部が受枠１２の上にせり上がることでその動きに対応して溝３の上部開口が閉塞状態に維持され、溝３内への人の転落などが防止される。
【００３１】
そして、この免震ジョイントカバー装置２０は、地盤２が＋Ｘ方向に動くときには、スライドカバー２２の伸長動作でそれに対応する構造であるから、地盤２に対する重ね代をごく小さな幅とすることができ、したがってこの免震ジョイントカバー装置２０はその全体の長さが溝３の幅とほぼ同等程度の小さな寸法の小型な形状とすることができる。さらに、小型でかつ地盤２との重なり代をほとんど必要としないから、外観を良好に保て、免震建物１の周囲の景観を低下させたり、地盤２の上の土地活用を阻害したりすることがなく、また小型であるから、免震ジョイントカバー装置２０の施工時における輸送や組み付けなどの作業上の取扱いが容易となり、作業能率の向上を図ることができる。
【００３２】
一方、平常時においては、一体的なカバー本体２１の一端側端部が免震建物１側のベース１０の上に支持され、他端側端部がスライドカバー２２と重なって地盤２側の受枠１２の上に支持された両端支持構造の状態にあり、このため人の歩行や車両の走行などに対する強度を十分に確保することができる。
以下に、本願出願の当初の特許請求の範囲に記載された発明を付記する。
［１］  免震建物とその周囲の地盤との間の溝の上部開口を閉塞する免震ジョイントカバー装置
であって、
カバー本体と、このカバー本体にスライド可能に重ね合わされ、そのスライド動作でカバー本体に対して伸長することが可能なスライドカバーとを有し、
前記カバー本体の一端側端部は、前記免震建物に対して結合支持され、前記スライドカバーの他端側端部は、前記カバー本体と重なる状態で前記地盤に対して支持され、
地震の発生に伴い前記溝の幅が広がる方向に、前記地盤が相対的に前記免震建物に対して動くときに、その動きに応じて前記スライドカバーが前記カバー本体に対してスライドして伸長することで、前記溝の上部開口の閉塞が維持されることを特徴とするスライド式免震ジョイントカバー装置。
［２］  前記カバー本体の一端側端部は、前記免震建物の壁面に設けられたベースを介して前記免震建物に結合支持され、前記スライドカバーの他端側端部は、前記地盤に設けられた受枠の上に支持され、
前記スライドカバーの他端側端部には突部が設けられ、前記受枠には前記突部が嵌合する凹部が設けられ、
地震の発生に伴い前記溝の幅が広がる方向に、前記地盤が相対的に前記免震建物に対して動くときに、前記凹部と前記突部との係合で前記スライドカバーが前記カバー本体に対してスライドして伸長することを特徴とする［１］に記載のスライド式免震ジョイントカバー装置。
［３］  前記受枠には、傾斜部が設けられ、地震の発生に伴い前記溝の幅が狭まる方向に、前記地盤が相対的に前記免震建物に対して動くときに、その動きに応じて前記スライドカバーが前記カバー本体と一体的に前記傾斜部に沿ってせり上がって傾斜することで、前記溝の幅の狭まりに対応することが可能なことを特徴とする［２］に記載のスライド式免震ジョイントカバー装置。
［４］  前記カバー本体は、平常時において、前記スライドカバーと重なる状態で前記地盤の表面とほぼ面一の状態で前記地盤と前記免震建物との間に水平に配置されることを特徴とする［１］乃至［３］のいずれかに記載のスライド式免震ジョイントカバー装置。
【符号の説明】
【００３３】
１…免震建物
２…地盤
３…溝
４…擁壁
５…舗装面
８…ブラケット
９…アンカーボルト
１０…ベース
１２…受枠
１３…水平部
１４…傾斜部
１５…凹部
２０…免震ジョイントカバー装置
２１…カバー本体
２２…スライドカバー
３２…支持レール
３３…スライドレール
３５…支持機構
４３…突起
４５…化粧プレート
【図１】
0005982171.tif 000002
【図２】
0005982171.tif 000003
【図３】
0005982171.tif 000004
【図４】
0005982171.tif 000005
【図５】
0005982171.tif 000006
【図６】
0005982171.tif 000007